(57)【特許請求の範囲】
【請求項１】
マスカラを収容する容器本体と、上記容器本体の開口を蓋する蓋体と、上記蓋体内側から垂下して容器本体内に挿通される軸体とを備え、上記軸体が中空体を用いて形成されており、上記軸体先端部において、軸体周面を周方向に２分割したうちの一方側に、所定寸法の溝が軸方向に並ぶボリューム用塗布部が形成され、同じくその他方側に、上記ボリューム用塗布部に形成された溝よりも浅くて溝幅の狭い溝が軸方向に並ぶナチュラル用塗布部が形成され、上記軸体内側の中空部が、上記ボリューム用塗布部の溝と連通し、上記ナチュラル用塗布部の溝とは連通しない構成になっており、上記ボリューム用塗布部が形成された側の軸体もしくは蓋体に、その側がボリューム用塗布部の側であることを示す第１の目印が設けられているとともに、上記ナチュラル用塗布部が形成された側の軸体もしくは蓋体に、その側がナチュラル用塗布部の側であることを示す第２の目印が設けられていることを特徴とするマスカラ塗布具。
【請求項２】
上記ボリューム用塗布部に形成された溝の深さが軸体外径の１／３〜１／２で溝幅が０．３〜３ｍｍに設定されており、上記ナチュラル用塗布部に形成された溝の深さが軸体外径の１／２０〜１／４で溝幅が０．１〜２ｍｍに設定されている請求項１記載のマスカラ塗布具。
【請求項３】
上記第１の目印と第２の目印とが、互いに開口形状の異なる溝によってそれぞれ形成されている請求項１または２に記載のマスカラ塗布具。
【請求項４】
上記軸体が、外径１〜７ｍｍ、内径０．５〜６．５ｍｍの中空体を用いて形成されている請求項１〜３のいずれか一項に記載のマスカラ塗布具。
【発明の詳細な説明】
【０００１】
【発明の属する技術分野】
本発明は、まつげにマスカラを塗布する際に用いられるマスカラ塗布具に関するものである。
【０００２】
【従来の技術】
まつげにマスカラを塗布する際に用いられるマスカラ塗布具としては、従来から、例えば図６に示すようなものが汎用されている。このものは、マスカラ（液体）を収容する容器本体１と、上記容器本体１の首部１ａにら合してこれを蓋する蓋体２と、マスカラ塗布用のブラシ３とを備えている。そして、上記ブラシ３において、ブラシ毛３ａを支受する軸体４の根元部４ａは拡径されて蓋体２の内側に一体的に固定されており、先端のブラシ毛３ａは容器本体１内のマスカラに浸漬するようになっている。なお、５は、上記容器本体１の首部１ａの内側に嵌入されるゴム製のスリーブで、マスカラのついたブラシ毛３ａから余剰のマスカラを、この部分でしごいて除去できるようになっている。
【０００３】
そして、使用時には、上記蓋体２を、容器本体１から外し、蓋体２を握って、これに一体的に取り付けられたブラシ３のブラシ毛３ａをまつげに当てることにより、ブラシ毛３ａに保持されたマスカラをまつげに塗布することができる。
【０００４】
【発明が解決しようとする課題】
しかしながら、上記マスカラ塗布具は、ブラシ毛３ａが、使用のたびにしごかれるため、経時的に変形しやすく、変形するとまつげへの塗布をきれいに仕上げることができないという問題がある。また、ブラシ毛３ａを軸体４に取り付ける工程が必要なため、製造コストがかかるという問題もある。
【０００５】
そこで、図７に示すように、ブラシ毛３ａに変えて、軸体４′に軸方向に並ぶ溝列６を形成し、この部分にマスカラを保持してまつげに塗布できるようにしたものが提案され、すでに実用化されている。このものは、安価に製造することができ、しかも経時的に変形することがないという利点を有する。
【０００６】
しかし、図７のものは、マスカラ塗布部が、剛性の軸体４′に直接形成された溝列６であるため、可撓性に乏しく、まつげに沿ってマスカラを塗る場合に、ブラシ毛３ａのようにまつげへの押しつけ加減で、まつげへの塗布量を調整することができにくいことが判明した。このため、安価で、長期間使用しても変形することがなく、しかもまつげへの塗布量を調節できるような、新しいタイプのマスカラ塗布具の開発が望まれているが、そのようなものは実用化されていないのが実情であった。
【０００７】
本発明は、このような事情に鑑みなされたもので、安価で、長期間使用しても変形することがなく、しかもまつげへの塗布を、ボリュームタイプとナチュラルタイプの２通りのタイプで使い分けることのできる、優れたマスカラ塗布具の提供をその目的とする。
【０００８】
【課題を解決するための手段】
上記の目的を達成するため、本発明は、マスカラを収容する容器本体と、上記容器本体の開口を蓋する蓋体と、上記蓋体内側から垂下して容器本体内に挿通される軸体とを備え、上記軸体が中空体を用いて形成されており、上記軸体先端部において、軸体周面を周方向に２分割したうちの一方側に、所定寸法の溝が軸方向に並ぶボリューム用塗布部が形成され、同じくその他方側に、上記ボリューム用塗布部に形成された溝よりも浅くて溝幅の狭い溝が軸方向に並ぶナチュラル用塗布部が形成され、上記軸体内側の中空部が、上記ボリューム用塗布部の溝と連通し、上記ナチュラル用塗布部の溝とは連通しない構成になっており、上記ボリューム用塗布部が形成された側の軸体もしくは蓋体に、その側がボリューム用塗布部の側であることを示す第１の目印が設けられているとともに、上記ナチュラル用塗布部が形成された側の軸体もしくは蓋体に、その側がナチュラル用塗布部の側であることを示す第２の目印が設けられているマスカラ塗布具を第１の要旨とする。
【０００９】
また、本発明は、上記マスカラ塗布具のなかでも、特に、上記ボリューム用塗布部に形成された溝の深さが軸体外径の１／３〜１／２で溝幅が０．３〜３ｍｍに設定されており、上記ナチュラル用塗布部に形成された溝の深さが軸体外径の１／２０〜１／４で溝幅が０．１〜２ｍｍに設定されているマスカラ塗布具を第２の要旨とし、上記第１の目印と第２の目印とが、互いに開口形状の異なる溝によってそれぞれ形成されているマスカラ塗布具を第３の要旨とする。そして、これらのなかでもに、特に、上記軸体が、外径１〜７ｍｍ、内径０．５〜６．５ｍｍの中空体を用いて形成されているマスカラ塗布具を第４の要旨とする。
【００１０】
【発明の実施の形態】
つぎに、本発明の実施の形態について説明する。
【００１１】
図１は、本発明のマスカラ塗布具の一実施の形態を示している。このマスカラ塗布具は、図６に示す従来例のマスカラ塗布具と同様、マスカラを収容する容器本体１と、その首部開口１ａにら合する蓋体２と、上記容器本体１の首部１ａ内側に嵌入されるしごき用のゴム製スリーブ５を備えており、いずれも構成が図６に示すものと同様であり、その図示と説明を省略する。
【００１２】
そして、このマスカラ塗布具は、上記蓋体２に、従来のブラシ３に代えて、先端側に直接溝１１，１３を形成してなる軸体１０が取り付けられている。より詳しく説明すると、上記軸体１０は、外径４ｍｍ、内径２ｍｍのプラスチック製パイプからなり、従来の例と同様、軸体１０の根元部が拡径されて蓋体２の内側に接着剤等を介して一体的に固定されている（図６参照）。そして、上記軸体１０の先端部には、軸体１０の周面を周方向に２分割したうちの一方側に、深くて幅の広い溝１１が軸方向に並ぶよう形成されており、その部分が、ボリューム用塗布部１２となっている。また、同じくその他方側に、上記溝１１よりも浅くて幅の狭い溝１３が軸方向に並ぶよう形成されており、その部分が、ナチュラル用塗布部１４となっている。
【００１３】
すなわち、上記ボリューム用塗布部１２の溝１１は、図２（ａ）に示すように、その深さＨが、軸体１０の外径の１／２に達する深さ（外径４ｍｍに対しＨ＝２ｍｍ）で、その幅Ｗが０．５ｍｍに設定されている。また、その溝間隔（ピッチ）Ｐは、１ｍｍに設定されている。したがって、上記溝１１は、図２（ｂ）および図３（ａ）に示すように、全体に大きな凹凸からなる塗布部を形成することになり、まつげに対し、ボリューム感あふれるマスカラ塗布を実現することができる。
【００１４】
なお、軸体１０の中空部は、溝１１，１３が形成されている以外の部分において、全面的に塞がれており、溝１１，１３が形成されている部分では、図２（ｂ），（ｃ）に示すように、中空部のうち、溝１３が形成されている側の半分だけが塞がれている。したがって、この部分をマスカラに浸漬すると、マスカラが溝１１内だけでなく、溝１１側に残された中空部内にも充満した状態になるため、溝１１が形成された側の部分をまつげに当ててマスカラ塗布を行うと、溝１１内に保持されたマスカラがまつげに付いて減少しても、中空部内に充満したマスカラが、順次溝１１内に供給され、途切れることがない。このため、非常にボリューム感あふれる仕上がりを得ることができる。
【００１５】
一方、上記ナチュラル用塗布部１４の溝１３は、その深さＨ′が０．５ｍｍ（軸体１０の外径の１／８）で、その幅Ｗ′が０．３ｍｍに設定されている。また、その溝間隔（ピッチ）Ｐ′は、０．６ｍｍに設定されている。上記溝１３が、上記ボリューム用塗布部１２の溝１１に比べて浅く狭く設定されているとともに、この部分の軸体１０の内部が塞がれているため、図２（ｃ）および図３（ｂ）に示すように、全体に、細かい凹凸となり、マスカラを多く保持することができない。そして、溝１３が、軸体１０の中空部と連通していないことと相俟って、まつげに対しマスカラをあまり多く塗布することができない。したがって、ごく自然な仕上がり感が得られるようになっている。
【００１６】
このように、上記マスカラ塗布具によれば、上記軸体１０の両側に設けられたボリューム用塗布部１２とナチュラル用塗布部１４とを使い分けることができるが、軸体１０の先端部をマスカラに浸漬した状態から引き上げると、比較的粘性の高いマスカラが、両方の溝１１，１３に入り込んで軸体１０の周面全体をマスカラが覆った状態になっているため、どちらの側がボリューム用でどちらの側がナチュラル用かを判別することが困難となる。そこで、この例では、両者を区別するために、図１および図３に示すように、軸体１０の、蓋体２から垂下する部分の根元側であって、上記ボリューム用塗布部１２が形成された側に、周方向に幅の太い帯状の溝２０を設けている。また、その反対側の、ナチュラル用塗布部１４が形成された側には、上記溝２０よりも各段に幅の狭い帯状の溝２１を設けている。
【００１７】
したがって、上記溝２０，２１を目印として、自分の好みの側（ボリュームかナチュラルか）を選択してマスカラ塗布を行うことができる。なお、蓋体２を容器本体１（図６参照）とら合させ、軸体１０をマスカラに浸漬した状態で、上記溝２０，２１にもマスカラがかかると、溝２０，２１の形状が、その部分に入り込んだマスカラによって鮮明に区別できるようになるため、より見分けがつきやすくなるという利点を有する。
【００１８】
なお、上記の例において、軸体１０は、必ずしも中空パイプを用いる必要はないが、ボリューム用塗布部１２を使用する場合に、軸体１０のその部分の内側が中空で、溝１１内にその中空部からマスカラが供給されるように設定することが必要である。すなわち、それによって、多量のマスカラを連続的にまつげに塗布することができるため、充分なボリューム感を与えることができるからである。そして、その場合、軸体の外径を１〜７ｍｍ、内径を０．５〜６．５ｍｍに設定することが好適である。
【００１９】
また、上記の例において、各溝１１，１３の寸法は、特に限定するものではないが、良好な仕上がりを得るには、ボリューム用塗布部１２の溝１１が、溝深さＨ０．３〜２ｍｍ、溝幅Ｗ０．３〜３ｍｍとなるよう設定することが好適であり、ナチュラル用塗布部１４の溝１３が、溝深さＨ′０．３〜１ｍｍ、溝幅Ｗ′０．１〜２ｍｍとなるよう設定することが好適である。
【００２０】
そして、上記溝１１は、すでに述べたように、軸体１０の中空部に達するように深く形成することが好適であることから、上記の例のように、軸体１０の周壁の半分を切り取るような形で溝１１を形成すれば、作業が簡単で好適である（図２〔ｂ〕参照）。また、溝１３は、比較的浅い溝を細かいピッチで形成しなければならないが、その溝形状は、図２（ｃ）に示す形状の外、図４（ａ）や同図（ｂ）に示す形状等、適宜の形状にすることができる。
【００２１】
また、上記の例では、溝１１，１３による凹凸の端縁部が直角になっているが、加工作業性からすれば、上記凹凸の端縁部は、丸みのある曲線になることが望ましい。
【００２２】
さらに、上記の例では、ボリューム側とナチュラル側を区別するための目印として、軸体１０の根元部に、幅の異なる２つの帯状の溝２０，２１を設けたが、目印は、必ずしも帯状である必要はなく、○、△、×等の適宜の記号、図案等であってもよい。そして、溝である必要もなく、凸状に形成してもよいし、表面にカラーシール等を貼着するようにしてもよい。そして、目印をつける場所も、軸体１０の根元側である必要はなく、判別しやすい場所であれば、どこに設けてもよい。例えば、図５（ａ）、同図（ｂ）に示すように、蓋体２の、ボリューム用塗布部１２と同じ側に、四角印２２をシールもしくは印刷で付け、同じく蓋体２の、ナチュラル用塗布部１４と同じ側に、三角印２３を同様にして付けることができる。
【００２３】
さらに、本発明において、蓋体２と容器本体１の形状は、上記の例に限らず、マスカラを収容して塗布できるような構成になっていれば、どのようなものであっても差し支えない。また、しごき用のゴム製スリーブ５は、必ずしも設ける必要はないが、溝１１，１３内に確実にマスカラを保持させるとともに、余剰のマスカラを液だれさせないためには、設けることが好ましい。ただし、その形状や容器本体１との係合形態は、特に限定されるものではない。
【００２４】
【発明の効果】
以上のように、本発明のマスカラ塗布具は、蓋体内側から垂下する軸体の先端部両側に、それぞれボリューム用塗布部とナチュラル用塗布部とが設けられており、しかも、それぞれの側が一目で判別できるよう、軸体もしくは蓋体に、両者を区別する目印が設けられているため、上記目印により、自分の好みに合った塗布部（ボリュームかナチュラルか）を選択してマスカラ塗布を行うことができる。しかも、上記塗布部が、それぞれ軸体に直接形成された溝によって構成されているため、製造が容易で、安価に提供することができる。また、繰り返し使用しても、変形したりすることがなく、長期にわたって良好に使用することができる。さらに、上記軸体が中空体を用いて形成されており、上記軸体内側の中空部が、ボリューム用塗布部の溝と連通し、ナチュラル用塗布部の溝とは連通しない構成になっているため、上記ボリューム用塗布部を用いる場合には、多量のマスカラを連続的にまつげに塗布することができ、充分なボリューム感を与えることができる。また、上記ナチュラル用塗布部を用いる場合には、まつげに対しマスカラをあまり多く塗布することができず、ごく自然な仕上がり感を得ることができる。
【図面の簡単な説明】
【図１】本発明の一実施例の要部を示す正面図である。
【図２】（ａ）は図１の部分的な拡大図、（ｂ）はそのＡ−Ａ′断面図、（ｃ）はそのＢ−Ｂ′断面図である。
【図３】（ａ）は上記実施例の要部を一方側から見た部分的な拡大斜視図、（ｂ）はそれを他方側から見た部分的な拡大斜視図である。
【図４】（ａ），（ｂ）は、ともに上記実施例における溝形状の変形例を示す断面図である。
【図５】（ａ），（ｂ）は、ともに上記実施例における目印の変形例を示す説明図である。
【図６】従来のマスカラ塗布具の一例を示す説明図である。
【図７】上記従来例を改良した例の要部を示す説明図である。
【符号の説明】
２  蓋体
１０  軸体
１１，１３  溝
１２  ボリューム用塗布部
１４  ナチュラル用塗布部
２０，２１  溝
【図１】
0004754063.tif 000002
【図２】
0004754063.tif 000003
【図３】
0004754063.tif 000004
【図４】
0004754063.tif 000005
【図５】
0004754063.tif 000006
【図６】
0004754063.tif 000007
【図７】
0004754063.tif 000008